(57)【要約】【課題】  本発明は、ランプの結合構造を単純化して組立工程を減らすことができるだけでなく、組立性及び生産性を向上させることができる壁掛け型電子レンジを提供する。【解決手段】  本発明による壁掛け型電子レンジは、本体１０と、本体１０の下側に設けられて開口部３２が形成された底プレート３０とを含む電子レンジにおいて、底プレート３０には開口部３２に装着されるランプ６０を支持するランプ支持部７０が一体に形成されることを特徴とする。【選択図】  図３
2006046900.tif 000002
【特許請求の範囲】
【請求項１】
本体と、前記本体の下側に設けられて開口部が形成された底プレートとを含む壁掛け型電子レンジにおいて、
前記底プレートには、前記開口部に装着されるランプを支持するランプ支持部が一体に形成されていることを特徴とする壁掛け型電子レンジ。
【請求項２】
前記ランプ支持部は、
前記ランプのソケット部を収容するランプ収容部と、
前記ランプ収容部の両側に形成される前記ランプのフランジ部と結合するランプ結合部とを含むことを特徴とする請求項１に記載の壁掛け型電子レンジ。
【請求項３】
前記底プレートの開口部の一の側に前記底プレートと一体に設けられた反射板をさらに含むことを特徴とする請求項１に記載の壁掛け型電子レンジ。
【請求項４】
本体と、前記本体の下側に設けられて開口部が形成された底プレートとを含む壁掛け型電子レンジにおいて、
前記底プレートには、前記開口部に装着されるランプの照明を反射させる反射板が一体に形成されることを特徴とする壁掛け型電子レンジ。
【請求項５】
前記反射板は前記ランプから発散される光を反射するように前記ランプに向かって湾曲形成されていることを特徴とする請求項３または請求項４に記載の壁掛け型電子レンジ。
【発明の詳細な説明】
【技術分野】
【０００１】
本発明は壁掛け型電子レンジに係わり、より詳しくは、ランプの設置構造が改善された壁掛け型電子レンジに関する。
【背景技術】
【０００２】
一般に、壁掛け型電子レンジは調理機器（ガスレンジ、ガスオーブンレンジなど）の上部に設置され、飲食物を調理する基本的調理機能の他に臭い及び煙を排出するための排気機能を備えている。このような壁掛け型電子レンジの下側にはガスレンジなどのような調理機器を照明するためのランプが設置されて、使用者が調理機器を使用する時に別途の照明無しでも飲食物調理を容易に行うことができるようになっている。
【０００３】
従来の壁掛け型電子レンジは、図１に示されているように、開口部２ａが形成されている底プレート２と、底プレート２の開口部２ａに設けられるガラス３と、底プレート２の開口部２ａに結合されてガラス３を支持するガラスホルダー４と、ガラス３の上部に設けられて下方に光を発散するランプ５と、底プレート２の上部面に着脱可能に結合されてスクリューなどのような結合手段７によってランプ５を支持するランプ支持カバー６と、を含んで構成される。
【０００４】
しかし、このような構造の壁掛け型電子レンジはランプ５を支持するためのランプ支持カバー６と結合手段７とが別々に要求されることによって部品数及び組立工程が増加するだけでなく、それに伴う製造費用が増えるという問題がある。
【０００５】
その他の壁掛け型電子レンジのランプ設置構造が下記特許文献１に開示されており、それにおいてもランプは別部品であるランプブラケットを通じて支持されている。
【特許文献１】韓国実用新案出願第２０−２０００−００３７３１７号明細書
【発明の開示】
【発明が解決しようとする課題】
【０００６】
本発明はこのような問題点を解決するために創出されたものであって、その目的は、ランプ支持構造を単純化すると共に、それに伴う部品数を減らすことができる壁掛け型電子レンジを提供することにある。
【課題を解決するための手段】
【０００７】
このような目的を達成するために本発明では、本体と、前記本体の下側に設けられて開口部が形成された底プレートとを含む壁掛け型電子レンジにおいて、前記底プレートには前記開口部に装着されるランプを支持するランプ支持部が一体に形成されていることを特徴とする。
【０００８】
前記ランプ支持部は、前記ランプのソケット部を収容するランプ収容部と、前記ランプ収容部の両側に形成される前記ランプのフランジ部と結合するランプ結合部とを含むのが好ましい。
【０００９】
前記底プレートの開口部の一の側に前記底プレートと一体に設けられる反射板をさらに含むことができる。
【００１０】
また、本発明は、本体と、前記本体の下側に設けられて開口部が形成された底プレートとを含む壁掛け型電子レンジにおいて、前記底プレートには前記開口部に装着されるランプの照明を反射させる反射板が一体に形成されることを特徴とする。
【００１１】
前記反射板は前記ランプから発散される光を反射するように前記ランプに向かって湾曲形成されているのが好ましい。
【発明の効果】
【００１２】
本発明によれば、ランプ支持部を底プレートと一体に形成することによってランプの結合構造が単純化され組立工程を減らすことができる。
【００１３】
また、ランプ設置に伴う部品数を減らすことができるので、製造費用を節減することができる。
【発明を実施するための最良の形態】
【００１４】
以下、添付図面を参照して本発明の好ましい実施形態を説明する。
【００１５】
図２に示されているように、本発明による壁掛け型電子レンジは本体１０と、本体１０の前方に設けられるドア２０と、本体１０の下側に設けられて前方中央近傍に開口部３２（図３参照）が形成されている底プレート３０と、底プレート３０の開口部３２に設けられるガラス４０と、ガラス４０を支持するガラスホルダー５０と、ガラス４０の上方に設けられるランプ６０と、を含んで構成される。
【００１６】
本体１０は全体外形を形成し、その内部には飲食物を調理するための調理室１２が形成されている。本体１０の前面上側にはベントグリル１４が設置されて本体１０の内外部に空気が流動する通路を形成し、本体１０の前面側部には操作パネル１６が設けられている。
【００１７】
ドア２０は調理室１２を選択的に開閉することができるように本体１０に回動可能に設置される。
【００１８】
底プレート３０の両側には吸入部３４が形成されており、吸入部３４には本体１０の内部に吸入される空気の浄化のためのフィルター（図示せず）が設置されている。
【００１９】
図３乃至図５に示されているように、底プレート３０にはランプ６０を支持するランプ支持部７０が設けられており、ランプ支持部７０は底プレート３０と一体型構造を有する。つまり、ランプ支持部７０はプレス加工などによって底プレート３０と一体に形成される。したがって、ランプ支持部７０を組立てるための別途の工程が必要でない。
【００２０】
そして、ランプ支持部７０の構造は、ランプ６０を堅固に支持すると共に、プレス加工によって底プレート３０と一体に形成することができる範囲内で多様に変更することができる。
【００２１】
ランプ６０は、バルブ部６２と、バルブ部６２と電気的に連結されるソケット部６４と、ソケット部６４から延長形成されているフランジ部６６とを含む。フランジ部６６には第１、第２結合ホール６７ａ、６７ｂが形成されている。
【００２２】
ランプ支持部７０はランプ６０のソケット部６４を収容するランプ収容部７２と、ランプ収容部７２の両側に形成されてランプ６０のフランジ部６６と結合されるランプ結合部７４ａ、７４ｂとを含む。ランプ収容部７２は半円溝形状を有し、一の側のランプ結合部７４ａはランプ６０のフランジ部６６の一の側に形成されている第１結合ホール６７ａにフック結合され、他の側のランプ結合部７４ｂはランプ６０のフランジ部６６の他の側に形成されている第２結合ホール６７ｂにベンディング結合される。
【００２３】
ガラス４０はランプ支持部７０に結合されているランプ６０の光を通過させると共にその下方の調理機器から伝達される水蒸気や異物などからランプ６０を保護する役割を果たす。ガラス４０は強化材質を含んでなることが好ましく、必要に応じて耐久性及び透明性の優れた他の材質のもので代替することができるのはもちろんである。
【００２４】
ガラスホルダー５０は底プレート３０の開口部３２に結合される。ガラスホルダー５０は、ガラス４０が安着するガラス安着部５２と、ガラス安着部５２に一体に形成されてガラス４０を支持する複数のガラス支持部５４とを含む。ガラス安着部５２はガラス４０が外部に露出されるように開口されており、ガラス支持部５４はガラス４０がガラス安着部５２に安着した状態でベンディングされガラス４０の上面に密着して支持する構造を有している。
【００２５】
底プレート３０の開口部３２の一の側には外部に発散されるランプ６０の光をガラス４０に反射させるための反射板８０が設けられている（図３〜５参照）。反射板８０は底プレート３０と一体に形成されており、ランプ６０から発散される光を反射するようにランプ６０に向かって湾曲形成されるのが好ましい。
【００２６】
反射板８０はランプ支持部７０と同様にプレス加工によって底プレート３０と一体型構造を有することにより別途の組立工程が要求されず、反射板８０の構造と材質及び設置位置はランプ６０の照明効率を高めることができる範囲内で多様に変更可能である。
【００２７】
一方、説明されていない符号７８（図４参照）はランプ６０の支持状態をより堅固に維持するための支持片を示したものであり、この支持片もプレス加工によって底プレート３０と一体に形成される。
【図面の簡単な説明】
【００２８】
【図１】従来の壁掛け型電子レンジにおけるランプ設置構造を示した断面図である。
【図２】本発明による壁掛け型電子レンジを示した斜視図である。
【図３】本発明による壁掛け型電子レンジのランプ設置構造を示した分解斜視図である。
【図４】本発明による壁掛け型電子レンジのランプ設置構造を示した結合斜視図である。
【図５】本発明による壁掛け型電子レンジのランプ設置構造を示した断面図である。
【符号の説明】
【００２９】
１０  本体
１２  調理室
１４  ベントグリル
１６  操作パネル
２０  ドア
３０  底プレート
３２  開口部
３４  吸入部
４０  ガラス
５０  ガラスホルダー
５２  ガラス安着部
５４  ガラス支持部
６０  ランプ
６２  バルブ部
６４  ソケット部
６６  フランジ部
６７ａ  第１結合ホール
６７ｂ  第２結合ホール
７０  ランプ支持部
７２  ランプ収容部
７４ａ、７４ｂ  ランプ結合部
７８  支持片
８０  反射板
【図１】
2006046900.tif 000003
【図２】
2006046900.tif 000004
【図３】
2006046900.tif 000005
【図４】
2006046900.tif 000006
【図５】
2006046900.tif 000007